(57)【要約】【課題】測定成功の可能性を高めるよう、心電図の測定をするときに、使用者に皮膚及び電極との間における給与圧力を明確に指示することができる、新しい手持ち型心電計の提供。【解決手段】手持ち型心電計は、心電信号の取得を行うために使用される。本発明において、少なくとも２つの電極と、またアナログ信号処理モジュールと、心電信号をデジタル化するためのアナログ／デジタルコンバータとを備え、心電信号を処理して心電計を制御するためのプロセッサと、心電信号の処理結果とその相関情報を表示するために用いるディスプレイユニットとを含み、さらに、データストレージ用のメモリと、電力を供給するための電池かつ、少なくとも１つの電極が取り付けられた接触インタフェースが、少なくとも１つを備え、そして、前記接触インタフェースにおける物理条件を検知するために、検出ユニットが提供される。そのうち、前記接触インタフェースの上に取り付けられた前記プロセッサは、測定した物理条件をプリセット基準と比較し、その比較結果に基づいて心電信号を処理することを特徴とする。【選択図】図２
2012532740.tif 000002
【特許請求の範囲】
【請求項１】
心電信号の収集を行うために、使用される手持ち型心電計であって、
使用者の皮膚から心電信号を取得するため、少なくとも２つの電極と、
アナログ信号処理モジュールと、
取得した心電信号をデジタル化するためのアナログ／デジタルコンバータとを含み、また、
取得した心電信号をプロセスし、心電計を制御するためのプロセッサと、
取得した心電信号を処理結果及びその関連情報を表示するため、ディスプレイユニットとを備え、さらに、
データストレージ用のメモリと、
電力を供給するための電池と、
少なくとも１つの電極が取り付けられた接触インタフェースは、少なくとも１つとが使用され、かつ、
前記接触インタフェースにおける物理条件を検知するために提供される検出ユニットを含み、
そのうち、
前記プロセッサは、測定した物理条件をプリセット基準と比較し、その比較結果に基づいて心電信号を処理する、
ことを特徴とする、手持ち型心電計。
【請求項２】
さらに、前記接触インタフェースは、１つの取り付けられた電極及びその周囲構成を含むことを特徴とする、請求項１に記載の手持ち型心電計。
【請求項３】
前記検出ユニットが、前記電極及び（または）その周囲構成における物理条件を検知することを特徴とする、請求項２に記載の手持ち型心電計。
【請求項４】
前記検出ユニットが、タッチスイッチ又はプッシュボタンとして実施されることができることを特徴とする、請求項１に記載の手持ち型心電計。
【請求項５】
前記電極と使用者の皮膚との間におけるインピーダンス条件を検知するため、さらにインピーダンス検出ユニットを含むことを特徴とする、請求項１１に記載の手持ち型心電計。
【請求項６】
心電信号の収集を行うために使用される手持ち型心電計であって、
使用者の皮膚から心電信号を取得するため、少なくとも２つの電極と、
アナログ信号処理モジュールと、
取得した心電信号をデジタル化するためのアナログ／デジタルコンバータとを含み、また、
取得した心電信号をプロセスし、心電計を制御するためのプロセッサと、
取得した心電信号を処理結果及びその関連情報を表示するため、ディスプレイユニットとを備え、さらに、
データストレージ用のメモリと、
電力を供給するための電池と、
少なくとも１つの電極が取り付けられた接触インタフェースは、少なくとも１つとが使用され、かつ、
前記接触インタフェースにおける物理条件を検知するために提供される検出ユニットを含み、
そのうち、
前記検出ユニットは前記接触インタフェースと使用者の皮膚との間における給与圧力を検出し、また、その検出した物理条件がプリセット基準に一致すると、該物理条件は、心電信号を収集するための回路が起動させように転換できることを特徴とする、手持ち型心電計。
【請求項７】
さらに、前記接触インタフェースは、１つの取り付けられた電極及びその周囲構成を含むことを特徴とする、請求項６に記載の手持ち型心電計。
【請求項８】
前記検出ユニットは、前記電極及び（または）その周囲構成に接続されることを特徴する、請求項７に記載の手持ち型心電計。
【請求項９】
前記検出ユニットは、タッチスイッチ又はプッシュボタンとして実施されることを特徴とする、請求項６に記載の手持ち型心電計。
【発明の詳細な説明】
【技術分野】
【０００１】  本発明は手持ち型心電計に関し、特に、改善した操作手順及び向上させたデータ信頼性を持つ、手持ち型心電計に関するものである。
【背景技術】
【０００２】  周知のとおり、心電計は心疾患の診断及び治療に役立てるものである。例えば、不整脈、心肥大、心筋梗塞、冠動脈不全や狭心症などの心疾患が検出でき、日常生活で広く利用されている。【０００３】  大きくわけて、心電計には病院で検査する用のものと、家庭向けの携帯型のものがある。病院で検査用のものは、詳しい検査と長期モニターが提供できるように、十二誘導心電計などの心電計で測定する。一方、携帯型心電計はより精巧な体積を持ち、例えば、ホルター心電計を一例として、家に持ち帰らせ、患者の日常生活内の心電図を連続記録できる。特に、心疾患がいつかの発生は常に予測することができない場合には役立てる。【０００４】  現在、さらに、いつでも、どこでも自分で測れ、小型かつ軽量になる携帯型の手持ち型心電計が開発されている。このような心電計を通し、使用者は手及び（または）胴などの皮膚に、電極が接触させることにより、簡易に自分で測定を行うことができる。したがって、一般の方は、自身で自覚症状があるときの心電図を即座に記録できるよう、医師がどのような症状が出るかと診察をするときに、参考情報として役に立つ。【０００５】  図１は、一般的な手持ち型心電計１００に、本体部分１０１と、ディスプレイ１０２及び操作インタフェース１０３とを含むことを示す。本体部分１０１は、第一電極１０４が装着された第一表面１０１１と、第二電極１０５が取り付けられた第二表面１０１２とを含む。前記操作インタフェース１０３を介してスイッチオンされた後、前記第一電極１０４が使用者の右手に接触させ、前記第二電極１０５が左手または胴体に接触させるべきである。そして、測定ボタンを押すと、測定が開始され、あらかじめ設定した期間内に行う。最後、その結果がディスプレイ１０２に表示される。【０００６】  上記の心電計を使用する場合で、測定の成功性は電極と皮膚との間における接触により決定され、すなわち、測定中での安定かつ実行可能な接触を確保するため、せめて設定した最小限に達する給与圧力を用いるべきことが明らかである。しかしながら、従来の心電計は電極との正確な接触、又はその給与圧力に関する情報を明確に指示することはない。その結果、使用者は常に適切な接触か否かに不審をし、さらにその結果の精度を不信することとなる。【０００７】  したがって、従来の心電計を使用すれば、使用者は常に不十分及び（または）不安定な給与圧力をもって測定を行い、不正な結果となる。あるいは、失敗を恐れに起因するので、使用者は緊張して過剰の給与圧力を用いており、その結果、精神的なストレスや筋肉痛などを起こすこととなる。
【発明の開示】
【発明が解決しようとする課題】
【０００８】  上述に鑑みて、本発明の目的は、測定成功の可能性を高めるよう、測定を行うときに、使用者に皮膚及び電極との間における給与圧力を明確に指示することができる手持ち型心電計を提供することにある。【０００９】  本発明のさらに別の目的は、測定中で使用者に接触の正確性を通知することができるのみならず、測定の起動、中止及び（または）終了を明確に示すことができ、それらにより、データの正確性と信頼性とも向上させる手持ち型心電計を提供することにある。
【課題を解決するための手段】
【００１０】  本発明の様態に基づき、心電信号の取得を行う手持ち型心電計が提供される。本発明の手持ち型心電計は、使用者の皮膚から心電信号を取得するため、少なくとも２つの電極と、アナログ信号処理モジュールかつ心電信号をデジタル化するためのアナログ／デジタル（ＡＤ）コンバータとを含み、そして、心電信号を処理して心電計を制御するためのプロセッサと、及び心電信号の処理結果とその相関情報を表示するために用いるディスプレイユニットとを備え、さらに、データストレージ用のメモリと、電力を供給するための電池かつ、少なくとも１つの電極が取り付けられた接触インタフェースが少なくとも１つとを含み、また、前記接触インタフェースにおける物理条件を検知するために、検出ユニットが提供される。さらに、前記接触インタフェースの上に取り付けられた前記プロセッサは、測定した物理条件をプリセット基準と比較し、その比較結果に基づいて心電信号を処理する。【００１１】  ここで、前記接触インタフェースは複数の電極及び（または）さらに該電極を取り付けるその周囲構成を含むことに実施されることができる。それに応じ、前記検出ユニットは該電極及び（または）その周囲構成における物理条件を検知するために実施されることができる。【００１２】  好ましくは、圧力と、照明及び（または）温度などは、物理条件として実施されることができ、制限されない。【００１３】  前記接触インタフェースにおける給与圧力を物理条件とする実施例の場合で、前記検出ユニットは圧電変換器として実施されることができ、該給与圧力を電子信号に変換し、さらに前記プロセッサに送信することができる。【００１４】  物理条件は圧力として別の実施例においては、前記検出ユニットはまた、前記電極及び（または）その周囲構成に接続されるタッチスイッチ、又はプッシュボタンなどのスイッチとして実施されることもでき、前記接触インタフェースにおける給与圧力に対し、メカニカル応答（メカニカルシフト）を提供することとなる。【００１５】  特に好ましくは、前記周囲構成のみ、タッチスイッチ又はプッシュボタンに接続されることができ、それで使用しないと、前記電極が前記周囲構成より低くなり、該構成に囲い込まれて保護される。それゆえ、前記周囲構成が押された場合だけでは、前記電極が使用者の肌に接触させ、心電信号を取得することができる。ここで、異なる操作圧力を持つ別のスイッチの採用を通し、前記接触インタフェースは異なる給与圧力に対応するように設計されており、さまざまな要求に順応することもできる。【００１６】  また、照明を物理条件として用いられる別の実施例においては、例えば、ライトセンサなどの検出ユニットは、前記電極が十分に使用者の皮膚に被覆される場合で検出することとなる。また、温度を物理条件として用いられる別の実施例においては、前記検出ユニットは、皮膚に被覆される電極の表面温度を検知することができるよう、接触状況を確認する。【００１７】  好ましくは、物理条件がプリセット基準に一致したとき、前記プロセッサが直接に心電信号の収集を開始する。すなわち、前記心電計はさらに、適切な接触を通し、測定ボタンを押さずに起動されることができる。このため、使用者は��り便利に、前記心電計を操作することができる。【００１８】  また、プリセット基準が一致しない場合では、いくつかの状況がある可能である。
例えば、前記プロセッサは、心電信号の収集を直接に停止することとなる。また、別の実施例においては、前記プロセッサは、信号処理を行わずに心電信号を直接に保存することとなる。さらに実施例においては、前記プロセッサは使用者に気づかせるよう、あるいはさらにプロセスするため、心電信号をマークすることができる。さらに物理状況は正確な収集範囲に該当しない別の実施例においては、前記プロセッサは、取得した心電信号を他のプロセスに移行可能となる。【００１９】  このほか、本発明の別の様態に基づき、検出した給与圧力はプリセット基準に一致したときに、前記接触インタフェースに接続された前記検出ユニットは、前記接触インタフェースと使用者の皮膚との間における給与圧力を検出し、また物理条件を変換することに実施されることができ、心電信号を収集するための回路を遂行することとなる。すなわち、前記接触インタフェースに圧力を給与しない場合では、心電信号を収集するための回路が切断されることとなる。それにより、給与圧力は該接触の物理条件を変換するため、必要となる程度に達成し、前記回路は心電信号の収集を遂行するために制御させる。【００２０】  好ましくは、前記検出ユニットは、タッチスイッチかプッシュボタンなどのスイッチとして実施されることができる。それで、前記電極又はその周囲構成に十分な圧力を加える場合で、前記回路の伝導を達成するほか、メカニカル応答を提供することもできる。
かつ、前記スイッチはさまざまな要求に一致するよう、所望の操作力に即し、多くの異なる選択がある。【００２１】  有利には、接触中でのインピーダンス状態に影響を与えられるもの、例えば、電極又は皮膚に付着した油汚れと汗汚れなどの、信号収集に影響を与えられるものがある場合において、前記心電計は、接触中でのインピーダンスを検知し、該接触状況を明らかにするため、インピーダンス検出ユニットをさらに含めることができる。【００２２】  使用者を示すために、前記心電計はさらに、前記プロセッサにより駆動される通知ユニットを採用し、通知信号を送信することができる。ここで、該通知信号は音響、ビジュアル及び（または）触覚信号などとすることができる。例えば、サウンド、音声、ライトフラッシュ、ディスプレイ上の文字及び（または）数字、インジケータの変化、または振動などが採用される。それにより、前記電極と皮膚との間における適切な給与圧力が、使用者に容易かつ便利に理解させることができる。【００２３】  さらに、前記心電計は、電極を変更する要求が容易に達成できるように、前記電極は除去可能として実施されることができる。例えば、破損した電極は、異なるタイプで実施されることができる。また、乾電極はウェットゲルに変更することができ、あるいは前記心電計の表面に取り付けられた電極は、ワイヤ接続された電極に変更することができ、そのほか、電極の量を変えることもできる。【００２４】  上記のほか、本発明の手持ち型心電計はさらに、基準電極及び（または）測定結果の精度が向上することができるよう、接地電極かつ操作する用の操作インタフェースを含めることができる。【００２５】  前述のように本発明は、電極と皮膚との接触は心電信号の収集が遂行できるか否かと判定することができるよう、前記皮膚に接触されるインタフェースにおける物理条件を対応することができる検出ユニットを用いた手持ち型心電計である。さらに、前記検出ユニットを介して、前記プロセッサに収集した心電信号をプロセスする用の基準、また、心電信号を収集するための回路の伝導に関わる物理条件自体を提供することができる。それゆえ、使用者は、電極との適切な接触と、心電信号を収集する状況がより明確に指示されることもできる。このため、信号収集の有効性をチェックすることは測定後のみ行えるという従来状況と違い、本発明は、測定の前にあらかじめ該有効性をチェックすることに移行するこという有効な方法を提供することにより、操作手順を改良するのみならず、測定結果を向上させた信頼性も提供する可能となる。
【発明を実施するための最良の形態】
【００２６】  以下、例として挙げる本発明の最良の実施例と図面に基づき、本発明についてより詳細に説明し、更なる理解を促す。【００２７】  図２の本発明に基づく手持ち型心電計の最良の実施例の概略図および図３の本発明に基づく手持ち型心電計の典型的な外観を示す。この図に示すように、本発明の手持ち型心電計２００は、少なくとも２つの電極２０１と、アナログ信号処理モジュール２０２かつアナログ／デジタル（ＡＤ）コンバータ２０３とを含む。また、プロセッサ２０４と、ディスプレイユニット２０５と、メモリ２０６と、電池２０７及び検出ユニット２０８とを備える。前記電極２０１は使用者の皮膚に接続してから心電信号を取得するために用いられ、前記アナログ信号処理モジュール２０２は取得したアナログ心電信号をプロセスするために用いられ、さらに、前記ＡＤコンバータ２０３は、心電信号をデジタル化するために使用される。また、心電信号を処理し、心電計を制御するために使用される前記プロセッサ２０４と、その処理結果と相関情報を表示する用の前記ディスプレイユニット２０５と、データのストレジ用の前記メモリ２０６とを含む。【００２８】  さらに、前記心電計においては、少なくとも１つの取り付けられた前記電極２０１を有する接触インタフェースがさらに少なくとも１つが提供されており、前記接触インタフェースは、収集中で使用者の皮膚に接触され、前記電極を介して心電信号を取得することができる。  それにより、前記検出ユニット２０８は前記接触インタフェースにおける物理条件を検知するために実施されており、前記プロセッサ２０４は、測定した物理条件をプリセット基準と比較し、その比較結果に基づいて心電信号を処理する。ここで、前記接触インタフェースは複数の前記電極２０１及び（または）該電極を囲い込む周囲構成６０（図６に示すように）とを含むように実施されることができる。【００２９】  図３を示すように、本発明の手持ち型心電計２００は測定中でより持ちやすくなり、さらにその姿勢の維持を容易にするため、その表面に前記電極２０１が取り付けられる。この実施例において、前記電極２０１が前記心電計の両端にそれぞれ取り付けられ、その一方は、手にさせることができ、反対の一方は、反対の手（図４Ａの示すように）とか、胸などの他の皮膚の部分（図４Ｂの示すように）にさせることができる。加えて、図５を示すように別の実施例においては、前記電極２０１は前記心電計の三方を覆い、別の持ち方を提供することもできる。このため、前記電極は前記心電計の表面に配置することが制限されず、異なる要求に一致することができる。【００３０】  さらに、前記電極は、異なるタイプで実施され、例えば、生体状況及び使用習慣などにより、乾電極、ウェットゲル及び（または）他種の適切な電極として実施されることができる。また、基本的な２つの電極以外、電極の量が増加することもできる。例えば、正確性を向上させ、ノイズを減少するために、基準電極及び（または）接地電極が増加することができ、ほかの制限はない。但し、追加の電極が、皮膚に接触可能な配置位置について、確認をすることが必要となる。【００３１】  さらに、前記電極は、変換を促すため、除去可能に実施される���とができ、使用者にさまざまな選択と利便性のためを提供する可能がある。例えば、乾電極はウェットゲルに変えることができる。また、前記心電計の機能を拡張するため、その表面に取り付けられた前記電極はワイヤ接続された電極に変えることもできる。さらに、破損した電極も、前記心電計の機体から変換することができる。かつ、除去可能なデザインの採用により、電極の量は変化させることもできる。例えば、元々１つの電極の配置が、２つのより小さい電極に代用し、または複数の電極用のコネクタに取り替えることもでき、特に制限されない。【００３２】  特に、先行技術に鑑みて、測定中での電極と皮膚との間に不十分な接触により起こったエラー及び（または）失敗を減少するため、本発明はさらに前記検出ユニット２０８を採用し、前記接触インタフェースに接続されており、接触時の前記インタフェースにおける給与圧力などの物理条件を検出することができる。【００３３】  前記検出ユニット２０８が用いられる主な目的は、前記電極と皮膚との間に接触状況を理解することである。このため、該接触を維持するための給与圧力は、心電信号の収集に影響を与えられる接触面積及びその安定性が決定することであり、それゆえ、前記接触インタフェースに加えた給与圧力を検出することにより、該給与圧力は十分であるか否かと理解する方法の１つである。したがって、好ましくは、前記検出ユニット２０８は圧電変換器として実施されることができており、前記接触インタフェースにおける給与圧力が検出されることができ、前記プロセッサ２０４に送信するための電子信号に転換し、それにより、プリセット圧力に該当するか否かと判定することができる。【００３４】  さらに好ましくは、前記接触インタフェースにおける給与圧力を検知するために、前記検出ユニット２０８はタッチスイッチと、プッシュボタンなどのスイッチとして実施されることができる。タッチスイッチ又はプッシュボタンを介して、前記接触インタフェースは、図７を示すように、給与圧力を対応する用のメカニカルシフトを持つことができており、使用者により明確な指示をすることができる。実際には、スイッチが前記電極及び（または）その周囲構成に接続されることができる。測定中で前記電極が押されることにより、接続される状態に達成する。特に、スイッチがその周囲構成だけに接続され、一般には、前記電極が該周囲構成より低くなり、該構成に囲い込まれて保護される。そうすれば、該周囲構成が押されたときのみ、前記電極が触れされることができる。ここで、給与圧力を検知するため、前記接触インタフェースに接続された前記検出ユニット２０８は、異なる量及び形で実施されることができる。例えば、１つだけのスイッチ、またはスイッチの集合として採用され、制限はない。このほか、さまざまな要求に順応できるように、１６０ｇｆまたは２６０ｇｆなどの異なる操作圧力を持つ別のスイッチを採用することにより、前記接触インタフェースは、異なる給与圧力に対応するように設計されることができる。【００３５】  給与圧力を検出するほか、前記検出ユニット２０８は、照明または温度など、別の物理条件を検出することに実施されることができ、ほぼ制限はない。例えば、照明��物理条件とする場合で、光センサーは前記電極の表面の被覆状況を理解するために用いられる。また、温度を物理条件として検出する場合では、前記電極と皮膚との間における接触状況を理解できるように、温度計は電極の表面温度を測定するために使用されることができる。【００３６】  また、さまざまな要求に即し、異なるタイプで採用されることができる。１つの前記検出ユニット２０８に接続され、それぞれの接触インタフェース（基準電極及び接地電極を含む）として実施されることができる。あるいは、１つまたは複数の接触インタフェースが前記検出ユニット２０８（その量は限らない）に接続されることもできる。したがって、これらに限らないものとする。【００３７】  それにより、前記プロセッサ２０４は、測定した物理条件をプリセット基準と比較し、その比較結果に基づいて心電信号を処理する。ここで、心電信号の処理は、フィルタリング、アルゴリズムの適用、結果の計算及び他のデジタル信号処理が含まれ、制限されない。測定した物理条件は、プリセット基準に該当すると、前記プロセッサ２０４は、心電信号の収集が起動できる。より有利には、前記プロセッサは測定ボタンをさらに押さず、直接に収集することができる。一方、プリセット基準と一致しない場合においては、前記プロセッサ２０４は、次のようにいくつかの心電信号を処理する方法がある。例えば、前記プロセッサ２０４は、心電信号の収集を直接に停止することとなる。また、別の実施例においては、前記プロセッサ２０４は、該測定は適切な収集でないとみなし、心電信号がさらに処理を行わずに保存することとなる。さらに実施例においては、前記プロセッサ２０４は、例えば、そのプリセット基準に一致しない状況に順応させ、異なるアルゴリズムを即し、心電信号が他のプロセスに移行することとなる。さらに別の実施例においては、前記プロセッサ２０４は、使用者に指示するため、あるいはさらにプロセスするため、心電信号をマークすることができる。したがって、特に制限されない。【００３８】  このため、前記検出ユニット２０８を経由して、前記接触するインタフェース（あるいは、電極及び（または）その周囲構成、さらにその上にある給与圧力）における物理条件を理解するように、前記電極と皮膚との間における適切な接触を確保することができる。したがって、先行技術に比べ、より正確な心電信号を取得することができる。【００３９】  また、図８に本発明の手持ち型心電計の別の好ましい実施例を示す。この実施例においては、検出ユニット２０８Ａは前記接触インタフェース及び皮膚との間における給与圧力
その結果、前記検出ユニット２０８と２０８Ａを介して、前記接触インタフェース（または電極）と皮膚との間における適切的な接触か否かと確認し、測定中でのエラー及び（または）失敗を減少するようになる。【００４１】  さらに、前記検出ユニットのほか、前記電極は皮膚に接触される場合で、インピーダンス条件を検出するために、インピーダンス検出ユニット（図示しない）も用いられることができる。心電信号は、接触型電極により取得されるときに、前記電極及び皮膚との間における接触条件にも影響を与えられる。例えば、油汚れと、汗汚れと、皮膚の厚いクチクラなどの皮膚表面上にける別の異物は、信号取得を低下させる可能性があり、たくさん影響を与える。それゆえ、前記インピーダンス検出ユニットを介して、これら状況がインピーダンス値に反映させることができる。このため、信号を収集する前にインピーダンスをチェックすることができると、該接触は最適状態に該当しないことを使用者に注意させることができる。それにより、エラー及び（または）失敗を回避するため、使用者は、例えば、皮膚または電極の表面を再清潔するように、素早く反応することができる。【００４２】  また、使用上の利便性のため、通知信号（図示しない）はさらに、使用者に前記接触インタフェース（電極）と皮膚との間における接触状況についての相関情報を提供することができる。前記プロセッサは検出したさまざまな生理状況に基づき、例えば、接触が十分である場合、信号収集が起動される場合、回路が開始される場合及び（または）他のプロセスに移行される場合など、前記通知信号は使用者にこれらの状況を教えるように駆動される。【００４３】  ここで、音響、ビジュアル及び（または）触覚信号などを前記通知信号とすることができ、例えば、振動、ライトフラッシュ、サウンド、音声、ディスプレイ上の文字及び（または）数字、またはインジケータの変化など、ほぼ制限はない。前記通知信号は、明確かつ迅速な方法を通し、使用者に操作状況が理解させるべきことが重要である。前記通知信号は、例えば、正確な接触が達成された場合、心電信号の収集が起動しようとする場合、あるいは給与圧力が不十分である場合、心電信号の収集が起動できない場合、心電信号の取得が中止される場合及び（または）不正確な操作がある場合など、使用者にさまざまな操作状況がそれぞれ理解させることにより、使用者は不正確な信号収集に時間を無駄にしないとなる。したがって、通知信号の実施するには制限されない。【００４４】  前記ディスプレイ２０５は、心電の信号収集に関わる情報（例えば、ハートビートと、心拍数及び分析結果など）と、電極との接触に関する情報（例えば、文字及び（または）数字で示されること）と、また前記心電計の操作に関わる情報（例えば、時間と電池容量など）などを表示することに実施されることが、ほかの制限はない。【００４５】  加えて、フラッシュメモリなどの、データストレジ用の前記メモリ２０６は、例えば、メモリカードのような除去可能として実施されることができ、それで医者にデータを提供し、さらに分析及び診断を取れるよう、使用をより容易にする。当然、操作上の利便性などのため、前記操作インタフェース３０にお��ては、パワーキーと、矢印キーと、入力キーなどの選択性も提供されてでき、ほかの制限はない。【００４６】  上記において、本発明は、電極と皮膚との接触は心電信号の収集が遂行できるか否かと判定することができるよう、前記接触されるインタフェースにおける物理条件を対応することができる検出ユニットを用いた手持ち型心電計を提供する。さらに、前記検出ユニットを介して、前記プロセッサに収集した心電信号をプロセスする用の基準を提供し、また、心電信号の収集を制御させるような回路の伝導に関わる物理条件を検出することができる。それゆえ、使用者は、正確な接触を容易に達成し、さらにより便利かつ効率的に前記心電計を使用することができる。このため、信号収集の有効性をチェックすることは測定後のみ行えるという従来状況とは違い、本発明は、測定の前にあらかじめ該有効性をチェックすることに移行するという、有効な方法を提供することにより、操作手順が改良できるのみならず、測定結果の信頼性を向上させることも提供できる。【００４７】  上述の例及び開示は例示を意図しており、網羅を意図したものではない。これらの例及び説明は、当技術分野における通常の技術の一つに対し多くの変化や代替を提案するものである。これら代替及び変化はすべて本発明の特許請求の範囲内に含まれるものとする。当技術分野を熟知した人物が、ここで説明される特定の実施例の他の同等物に気付いた場合、それら同等物も本発明の特許請求の範囲によって包含されることが意図される。
【図面の簡単な説明】
【００４８】
【図１】従来の一般的な携帯型心電計を示す概略図である。
【図２】本発明に基づく最良の実施例の手持ち型心電計を示す概略図である。
【図３】本発明に基づく典型的な手持ち型心電計の外観を示す。
【図４Ａ】本発明に基づく手持ち型心電計の用途を示す概略図である。
【図４Ｂ】本発明に基づく手持ち型心電計の用途を示す概略図である。
【図５】本発明に基づく別の典型的な手持ち型心電計の外観を示す概略図である。
【図６】本発明に基づく最良の実施例の電極及びその周囲構成を含む接触インタフェースを示す平面図である。
【図７】本発明に基づく最良の実施例の接触インタフェースのシフトを示す拡大図である。
【図８】本発明の別の実施例に基づく手持ち型心電計を示す概略図である。
【図１】
2012532740.tif 000003
【図２】
2012532740.tif 000004
【図３】
2012532740.tif 000005
【図４Ａ】
2012532740.tif 000006
【図４Ｂ】
2012532740.tif 000007
【図５】
2012532740.tif 000008
【図６】
2012532740.tif 000009
【図７】
2012532740.tif 000010
【図８】
2012532740.tif 000011
【国際調査報告】
2012532740.tif 000012
2012532740.tif 000013